(57)【特許請求の範囲】
【請求項１】
記録媒体を搬送する搬送ベルトと、該搬送ベルトにより搬送された記録媒体上にインクを吐出する記録ヘッドと、を備えたインクジェト記録装置において、
前記搬送ベルトの記録媒体搬送面に対し記録媒体を吸着させる吸着手段と、
前記搬送ベルトの幅方向両端部の上方に回転自在に軸支され、外周面が前記記録媒体搬送面の記録媒体吸着領域よりも外側に当接する複数のローラ部材と、
が設けられ、
前記ローラ部材のうち、少なくとも前記搬送方向最上流側のローラ部材が、前記搬送方向に対し所定角度外側に傾けられたことを特徴とするインクジェット記録装置。
【請求項２】
前記ローラ部材は、記録媒体の搬送方向において前記記録ヘッドと略同じ位置に配設されたことを特徴とする請求項１に記載のインクジェト記録装置。
【発明の詳細な説明】
【技術分野】
【０００１】
本発明は、ファクシミリ、複写機、プリンタ等の記録装置において、用紙等の記録媒体にインクを吐出することによって記録を行うインクジェット記録装置に関するものである。
【背景技術】
【０００２】
ファクシミリ、複写機、プリンタ等の記録装置は、紙、布、ＯＨＰ用シート等の記録媒体に画像を記録するように構成されているが、記録を行う方式により、インクジェット式、ワイヤドット式、サーマル式等に分類することができる。また、これらの記録方式はさらに、記録ヘッドが記録媒体上を走査しながら記録を行うシリアル型と、装置本体に固定された記録ヘッドにより記録を行うラインヘッド型に分類することができる。
【０００３】
例えばラインヘッド型のインクジェット記録装置では、装置本体内に備えられた搬送ベルト等の搬送手段によって用紙等の記録媒体を高速で搬送しながら、記録媒体の幅以上の記録領域を有するラインヘッドの各インク吐出ノズルによりインクを吐出することによって記録媒体に画像を形成する。これにより、記録ヘッドが記録媒体の幅方向に往復動作するシリアル型インクジェットヘッドに比べて高速印字が可能となる。
【０００４】
このようなインクジェット式プリンタでは、記録ヘッドのインク吐出面と記録媒体とは、記録媒体へのインクの着弾精度を保つために適切な所定距離まで近づけて配置されている。しかし、記録媒体に撓みが生じ、浮き上がった部分が記録ヘッドに接近し過ぎると画像が乱れたり、記録ヘッドに接触すると記録媒体の種類等によっては記録ヘッドが破損するおそれがある。そこで、記録媒体を搬送ベルトに対して押える方法が提案されている。
【０００５】
例えば、特許文献１には、シート（記録媒体）搬送ベルトと、該ベルトによって搬送されるシートをベルト面から浮き上がらないようにするシート押え手段と、を備えた画像形成装置において、記録媒体の厚さに応じて、ベルト面とインクジェットヘッド（記録ヘッド）のインク噴射面との間の距離を変更する距離変更手段と、シート押え手段のセット位置を変更するセット位置変更手段と、を設けることにより、厚いシートを使用したときでもシートがシート押え手段とベルト面との間のニップに突入するときの抵抗を小さくし、シートの搬送遅れを防止し画像のずれを防止する方法が開示されている。
【特許文献１】特開平１１−１１５２７４号公報
【発明の開示】
【発明が解決しようとする課題】
【０００６】
しかし、特許文献１に例示されるように、拍車等のシート押え手段によって記録媒体を搬送ベルト面に押え付ける方法では、記録媒体に着弾されたインクが乾く前にシート押え手段と当接し、これに付着する場合があり、これにより画像に乱れが生じる、或いは未乾燥のインクがシート押え手段に付着した後、再度記録媒体に付着し、オフセットが生じるおそれがある。また、記録媒体の撓みは、搬送ベルトの撓みによって生じる場合もある。
【０００７】
本発明は上記事情に鑑み、記録媒体と当接することなく記録媒体及び搬送ベルトの撓みを防止することが可能なインクジェット記録装置を提供することを目的とする。
【課題を解決するための手段】
【０００８】
上記目的を達成するために本発明は、記録媒体を搬送する搬送ベルトと、該搬送ベルトにより搬送された記録媒体上にインクを吐出する記録ヘッドと、を備えたインクジェト記録装置において、前記搬送ベルトの記録媒体搬送面に対し記録媒体を吸着させる吸着手段と、前記搬送ベルトの幅方向両端部の上方に回転自在に軸支され、外周面が前記記録媒体搬送面の記録媒体吸着領域よりも外側に当接する複数のローラ部材と、が設けられたことを特徴としている。
【０００９】
また、本発明は、前記ローラ部材は、記録媒体の搬送方向において前記記録ヘッドと略同じ位置に配設されたことを特徴としている。
【００１０】
また、本発明は、前記ローラ部材のうち、少なくとも前記搬送方向最上流側のローラ部材が、前記搬送方向に対し所定角度外側に傾けられたことを特徴としている。
【発明の効果】
【００１１】
本発明の第１の構成によれば、搬送ベルトの記録媒体搬送面に対し記録媒体を吸着させる吸着手段を設け、搬送ベルトの幅方向両端部の上方に複数のローラ部材を回転自在に軸支し、該ローラ部材の外周面を記録媒体搬送面の記録媒体吸着領域よりも外側に当接させることにより、ローラ部材が記録媒体と当接することなく、記録媒体を搬送ベルトに密着させると共に搬送ベルトの撓みを防止することができ、記録媒体の撓みを防止することができる。
【００１２】
これにより、ローラ部材が記録媒体に吐出されたインクと接触することなく、記録ヘッドのインク吐出面に対して記録媒体が接近することを防止することができるため、インクの着弾状態を安定させ、画質の低下を防止することができる。また、記録媒体若しくは搬送ベルトが記録ヘッドに当接し、記録ヘッドを損傷することを防止することができる。
【００１３】
本発明の第２の構成によれば、上記第１の構成のインクジェット記録装置において、ローラ部材を、記録媒体の搬送方向において前記記録ヘッドと略同じ位置に配設することにより、記録ヘッドのインク吐出面と対向する位置における搬送ベルト及び記録媒体の撓みを防止することができるため、効率的且つ確実に搬送ベルトの撓みを防止することができ、効果的である。
【００１４】
本発明の第３の構成によれば、上記第１または第２の構成のインクジェット記録装置において、ローラ部材のうち、少なくとも搬送方向最上流側のローラ部材を、上記搬送方向に対し所定角度外側に傾けることによって、搬送ベルトに幅方向外側に向かう力を作用させることができ、より効果的に撓みを防止することができる。
【発明を実施するための最良の形態】
【００１５】
以下、図面を参照して本発明の実施形態について説明する。図１は本発明に用いられるローラ部材が配設されるインクジェット記録装置の一例であるインクジェット式プリンタの概略構造を示す模型的垂直断面正面図、図２はプリンタの記録部及び搬送ユニット周辺を示す部分拡大正面図であり、図３は、図２において搬送ユニットを下降させ記録部の下方にキャップを移動した状態を示す図である。尚、図１では支持部材６１及びコロ６３を破線で示し、図２及び図３では支持部材６１及びコロ６３を省略して示した。
【００１６】
図１に示すように、プリンタ１の本体２の内部下方には、用紙収容部である給紙カセット３が配置されている。給紙カセット３の内部には、用紙Ｐが積まれて収容されている。給紙カセット３の用紙搬送方向下流部上方には、給紙装置４が配置されている。この給紙装置４により、用紙Ｐは図１において給紙カセット３の右上方に向けて送り出される。
【００１７】
給紙カセット３の用紙搬送方向下流には、用紙搬送路５、レジストローラ６、記録部２０、及び搬送ユニット３０が配置されている。給紙カセット３から送り出された用紙Ｐは、用紙搬送路５を通ってレジストローラ６に到達する。レジストローラ６は、用紙Ｐの斜め送りを矯正して再度用紙Ｐを送り出し、記録部２０とレジストローラ６の間の用紙搬送路５に設けられた図示しない用紙先端検知部材による用紙Ｐの先端の検知に基づいたタイミングで、記録部２０がインク吐出動作を実行する。なお、用紙搬送路５には、用紙Ｐを搬送するための搬送ローラ対を必要に応じて設けても良い。
【００１８】
搬送ユニット３０は、駆動ローラ３２、及び従動ローラ３３、及びテンションローラ３４に巻き掛けられた無端状の搬送ベルト３１を備えている。搬送ベルト３１は、駆動ローラ３２により、図１において反時計方向に回転する。レジストローラ６によって送り出された用紙Ｐは、この搬送ベルト３１の上面に載置され、図１において右方から左方へと搬送される。なお、搬送ベルト３１には、その両端部を互いに重ね合わせて接合しエンドレス形状にしたベルトや、継ぎ目を有しない（シームレス）ベルト等が好適に用いられる。
【００１９】
搬送ユニット３０の内部であって、記録部２０に対向する箇所には、図２に示すように、空気吸引ユニット（吸着手段）３５が備えられている。空気吸引ユニット３５は、その上面に、多数の空気吸引用の孔（図示せず）を備えている。そして、搬送ユニット３０は、空気吸引ユニット３５により、その上面から下方に向かって空気を吸引することができる。また、搬送ベルト３１にも、多数の空気吸引用の孔（図示せず）が設けられている。
【００２０】
これにより、搬送ユニット３０は、搬送ベルト３１と空気吸引ユニット３５とを用いて、用紙Ｐを搬送ベルト３１の上面に吸着し、密着させながら搬送する。なお、搬送ベルト３１は、空気吸引ユニット３５の上面と当接しており、かかる上面より下方へは移動しないようになっている。また、搬送ユニット３０は、図示しないバネ等の付勢部材により記録ヘッド２２に向かって付勢されている。
【００２１】
一方、プリンタ１は、外部コンピュータ（図示せず）から、文字や図形、模様などの画像データ信号を受信する。この画像データの情報は、搬送ユニット３０と対向するようにその上方に配置された記録部２０に送られる。記録部２０は、記録ヘッド２２（図２参照）のインク吐出ノズル（図示せず）の先端部が配置された底面と搬送ベルト３１の上面である用紙搬送面３１ａとの間に微小間隔Ｌ（図６参照、例えば１ｍｍ）を設けて配置されている。また、上記の様に付勢された搬送ユニット３０において搬送ベルト３１が後述するコロ６３と当接するとき、かかる微小間隔Ｌが設けられるようになっている。
【００２２】
微小間隔Ｌの設定方法は特に限定されるものではなく、例えば搬送ユニット３０の上面に微小間隔Ｌの突起を設け、該突起と記録部２０の下面とを当接させることにより、かかる間隔を設定することができる。
【００２３】
記録部２０は、各色に対応した３個の記録ヘッド２２を４色分、合計１２個備えている（図示せず）。記録ヘッド２２は、各々用紙搬送方向と直角をなす用紙幅方向に向かって延び、図１に示すように、搬送ベルト３１の回転方向に沿って、回転方向上流側から下流側に向けて並べて配置されている。４色に対応した記録ヘッド２２とは、上流側から順に、ブラック用の記録ヘッド２２Ｋ、シアン用の記録ヘッド２２Ｃ、マゼンタ用の記録ヘッド２２Ｍ、及びイエロー用の記録ヘッド２２Ｙである。
【００２４】
各色の記録ヘッド２２に対応して、搬送ユニット３０の下方には、４台のインクタンク２３が備えられている。各色のインクは、このインクタンク２３から供給チューブ（図示せず）によって、記録ヘッド２２に補給される。なお、以下の説明において、特に限定する必要がある場合を除き、「Ｋ」「Ｃ」「Ｍ」「Ｙ」の識別記号は省略するものとする。
【００２５】
なお、記録ヘッド２２のインクの吐出方式としては、例えば、図示しないピエゾ素子を用いてインクを押し出すピエゾ方式や、発熱体によって気泡を発生させ、圧力をかけてインクを吐出するサーマルインクジェット方式など、各種方式を適用することができる。
【００２６】
記録部２０の各記録ヘッド２２は、外部コンピュータから受信した画像データの情報に対応して、搬送ベルト３１表面に載置された用紙Ｐに向かって記録ヘッド２２からインクを吐出する。そして、搬送ベルト３１の回転とともに、所定のタイミングで各記録ヘッド２２から各色のインクが順次吐出されることにより、搬送ベルト３１表面上の用紙Ｐにはブラック、シアン、マゼンタ、イエローの４色のインクが重ね合わされたカラーインク画像が形成、印刷される。
【００２７】
搬送ユニット３０の用紙搬送方向下流には、乾燥装置７が配置されている。記録装置２０から用紙Ｐに吐出されたインクは、乾燥装置７によって乾燥される。
【００２８】
乾燥装置７の下流には、排出ローラ８、排出口９、及び排出トレイ１０が備えられている。乾燥装置７で印刷されたインクの乾燥が済んだ用紙Ｐは、排出ローラ８によって左方に送られ、排出口９を通して、本体２の左側面外側に設けられた排出トレイ１０において機外に排出される。
【００２９】
一方、搬送ユニット３０の下方には、搬送ユニット３０の昇降装置４０が備えられている。昇降装置４０は、各記録ヘッド２２のインク吐出ノズル（図示せず）の乾燥や目詰まりを防止するため、記録ヘッド２２にキャップ５１（図２、図３参照）を装着したり、搬送ベルト３１上で発生したジャム処理を行ったりするため、搬送ユニット３０を昇降させる。昇降装置４０は、上流側の偏心カム４１（図１の右側）が反時計回り、下流側の偏心カム４１（図１の左側）が時計回りに回転することにより、図３に示すように搬送ユニット３０を下降させることができる。
【００３０】
そして、搬送ユニット３０の下降により形成された作業空間を用い、キャップ５１を図示しない垂直移動機構で昇降させ、記録ヘッド２２に着脱することができる（図３参照）。また、キャップ５１を脱離後、図示しない水平移動機構で水平移動させ、記録ヘッド２２に着脱可能な位置と待機位置とに配置できるようになっている。
【００３１】
記録ヘッド２２の乾燥や目詰まりの防止に関して、記録部２０の長期間停止後の印刷開始時は全ての記録ヘッド２２から、また印刷動作の合間にはインク吐出量が規定値以下の記録ヘッド２２のノズルから、ノズル内の粘度が高くなったインクを吐出して、次の印刷動作に備える。このとき、記録ヘッド２２にキャップ５１を、微小距離をおいて近接させ、インクはキャップ５１内に吐出される。
【００３２】
図４は、本実施形態に用いられる記録部、搬送ベルト及びローラ部材の周辺を示す部分拡大上面図であり、図５は部分拡大正面図であり、図６は、図５に示す搬送ベルトの記録媒体搬送面と記録ヘッドのインク吐出面との関係を示す部分拡大正面図であり、図７は、搬送ベルトとローラ部材との位置関係を示す部分拡大上面図である。図１〜図３と共通する部分には共通する符号を付して説明を省略する。
【００３３】
上記構成のプリンタ１において、搬送ベルト３１により搬送される用紙Ｐに対し、ベルト幅方向両外側には、用紙Ｐの搬送方向（矢印方向）に沿って細長い板状の支持部材６１が配設されている。また、用紙Ｐの搬送方向の記録ヘッド２２と略同じ位置の支持部材６１には、搬送ベルト３１の用紙搬送面（記録媒体搬送面）３１ａと回転自在に当接するコロ（ローラ部材）６３ａ〜６３ｄが片側４つずつ合計８つ軸支されている。
【００３４】
図５に示すように、コロ６３ａ〜６３ｄは、支持部材６１の下方で搬送ベルト３１と当接するように配置されており、図６に示すように、コロ６３ａ〜６３ｄが用紙Ｐより幅方向外側（用紙Ｐの吸着領域外側）で搬送ベルト３１の用紙搬送面３１ａと当接するとき、記録ヘッド２２の先端のインク吐出孔が設けられたインク吐出面（記録ヘッドの底面）と搬送ベルト３１の用紙搬送面３１ａとの間が上記微小間隔Ｌとなるよう調整されている。
【００３５】
すなわち、コロ６３ａ〜６３ｄが、記録ヘッド２２のインク吐出面より下方に突出した長さが上記微小間隔Ｌとなるように、支持部材６１及びコロ６３ａ〜６３ｄが配設されている。また、コロ６３ａ〜６３ｄは、上記微小間隔Ｌを変更することなく搬送ベルト３１と当接するよう、その大きさや高さを適宜設定することができる。
【００３６】
また、コロ６３ａ〜６３ｄは、搬送ベルト３１の回動速度、すなわち用紙Ｐの搬送速度に影響を及ぼさない程度の圧力で搬送ベルト３１に当接するようになっている。コロ６３ａ〜６３ｄは、搬送ベルト３１に当接し、搬送ベルト３１の回動に従動して回転するため、搬送ベルト３１に過度の摩擦が生じることを防止することができ、ベルト回動速度に影響を及ぼしたり、ベルトの破損を防止することができる。
【００３７】
また、図７に示すように、コロ６３ａ〜６３ｄは、用紙Ｐの搬送方向に対し、所定角度θだけ外側に傾けられている。これにより、搬送ベルト３１が回動すると、コロ６３ａ〜６３ｄの幅方向外側へ向かって回転するようになっている。
【００３８】
次に、コロ６３ａ〜６３ｄを用いた搬送ベルトの回動動作について説明する。搬送ベルト３１が回動すると、コロ６３ａの当接により下方に押さえられる。これにより、搬送ベルト３１の撓みの発生が防止される。続いて搬送ベルト３１は、下流側のコロ６３ｂ〜６３ｄと順次当接することにより、上記同様、撓みの発生が防止される。
【００３９】
ここで、上記の通りコロ６３ａ〜６３ｄが外側に傾けられているため、コロ６３ａ〜６３ｄとの当接により、搬送ベルト３１の用紙搬送面３１ａの幅方向両端部にはそれぞれ外側へ向かう力が作用する。これにより、搬送ベルト３１の幅方向両端部には、コロ６３ａ〜６３ｄにより幅方向外側に向かう力と、駆動ローラ３２により搬送方向下流側に向かう力とが作用し、これらの力が合わさって、図７の左上側及び左下側に向かう力が作用するため、搬送ベルト３１の撓みをより防止することができる。
【００４０】
コロ６３ａ〜６３ｄを傾ける角度θは、コロ６３ａ〜６３ｄが僅かに外側に傾いた状態となる概ね１°程度でも十分に搬送ベルト３１のベルト撓み防止効果を向上させることができるが、角度θは、特に限定されるものではない。コロ６３ａ〜６３ｄが外側に傾く角度θが大きくなれば、コロ６３ａ〜６３ｄと搬送ベルト３１との摩擦力が大きくなり、用紙Ｐの搬送速度に影響を及ぼすおそれがある。
【００４１】
一方、コロ６３ａ〜６３ｄが内側に傾くと（角度−θ）、搬送ベルト３１の幅方向両端部を内側に向かわせる力が作用し、撓みを十分に防止できないおそれがある。従って、かかる観点を考慮し、搬送ベルト３１の材質、幅、長さや厚み、或いは用紙Ｐの搬送速度等に応じて角度θを適宜設定すればよい。
【００４２】
そして、用紙Ｐが空気吸引ユニット３５により搬送ベルト３１に吸着され、搬送ベルト３１の回動により記録部２０に搬送されると、記録ヘッド２２Ｋ〜２２Ｙを通過するまで搬送ベルト３１の撓みが防止されているため、搬送ベルト３１に吸着された用紙Ｐも撓みが防止された状態で記録ヘッド２２Ｋ〜２２Ｙを通過することができる。また、コロ６３ａ〜６３ｄは用紙Ｐと当接することがない。
【００４３】
上記の通り、用紙Ｐを空気吸引ユニット３５により搬送ベルト３１に対して吸着し、記録ヘッド２２に対して幅方向外側において支持部材６１に軸支し、コロ６３ａ〜６３ｄを回動自在に搬送ベルト３１に当接したため、搬送ベルト３１の撓みを防止すると共に、用紙Ｐの撓みを防止することができる。
【００４４】
これにより、記録ヘッド２２のインク吐出面に対する用紙Ｐの位置を記録ヘッド２２Ｋ〜２２Ｙを通過する間、略一定にすることができるため、用紙Ｐが撓んで記録ヘッド２２Ｋ〜２２Ｙに接近して液滴の着弾位置が規定位置より用紙の搬送方向先端側にずれるのを防止し、画像の乱れを防止することができる。また、用紙Ｐが記録ヘッド２２に接触して記録ヘッド２２が破損するのを防止することができる。
【００４５】
このとき、コロ６３ａ〜６３ｄは用紙Ｐと接触しないため、用紙Ｐに着弾されたインクが付着せず、着弾されたインクが乾燥する前にコロ６３に付着することによって生じる画像の乱れや、コロ６３ａ〜６３ｄに付着した未乾燥インクが再度用紙Ｐに付着するオフセットの発生を防止する等、画質の低下を防止することができる。なお、用紙Ｐが搬送ベルト３１の搬送面に送られてない場合においては、搬送ベルト３１が記録ヘッド２２と接触することを防止し、記録ヘッド２２の破損を防止することができる。
【００４６】
また、上記実施形態では、コロ６３ａ〜６３ｄを記録ヘッド２２Ｋ〜２２Ｙに対し用紙Ｐの搬送方向に略同じ位置に配設したため、最も影響の大きい記録ヘッド２２Ｋ〜２２Ｙの直下において搬送ベルト３１の撓みを防止することができ、より効率的且つ確実に記録ヘッド２２Ｋ〜２２Ｙに対して用紙Ｐが接近したり、用紙Ｐ若しくは搬送ベルト３１が当接することを防止して、画質の低下や、記録ヘッド２２Ｋ〜２２Ｙの破損を防止することができる。
【００４７】
しかし、コロ６３ａ〜６３ｄの配置は、コロ６３が搬送ベルト３１の撓みを防止し、画質の低下や記録ヘッド２２破損等を防止することが可能であれば、特に本実施形態に限定されるものではなく、その他、例えば、用紙Ｐの搬送方向において記録ヘッド２２間に配設することもできる。
【００４８】
また、少なくとも用紙Ｐの搬送方向上流側に配設されたコロ６３ａを用紙Ｐの搬送方向に対して所定角度θだけ外側に傾けることにより、上記の通り搬送ベルト３１の幅方向両端に外側へ向かう力が作用するため、搬送ベルト３１の撓みをより防止することができる。加えて、このようにベルトの撓みが防止された状態で、搬送ベルト３１が下流側の記録ヘッド２２Ｃ〜２２Ｙを通過することができる。
【００４９】
これにより、より効果的に搬送ベルト３１の撓みを防止することができる。特に、上記実施形態では、４つのコロ６３ａ〜６３ｄを用紙Ｐの搬送方向に沿って所定角度θだけ幅方向外側に傾けたため、さらに効果的に搬送ベルト３１の撓みを防止することができる。しかし、搬送ベルト３１の撓みを防止することができれば、外側に傾けるコロ６３は特に限定されるものではない。
【００５０】
また、上記実施形態では、コロ６３ａ〜６３ｄを幅方向片側に４つずつ支持部材６１に配設したが、コロ６３ａ〜６３ｄは、回動自在に搬送ベルト３１に当接することができれば、それぞれ独立して支持部材等を介して配設してもよく、記録ヘッド２２が配設された記録部２０に直接軸支することもできる。
【００５１】
その他、本発明は上記実施形態に限定されるものではなく、本発明の趣旨を逸脱しない範囲で種々の変更が可能である。例えば、コロ６３の配置、数量、形状、大きさ等は、装置構成や搬送ベルト３１の材質、幅、長さや厚みや搬送速度等に応じて適宜設定することができる。
【００５２】
また、上記実施形態では、空気吸引ユニット３５を用いて用紙Ｐを搬送ベルト３１の上面に吸着させることとしたが、吸着方法は上記実施形態に特に限定されるものではなく、その他、例えば、搬送ベルト３１を帯電させて静電気により用紙Ｐを吸着させる静電吸着を用いることもできる。
【００５３】
また、記録ヘッド２２Ｋ〜２２Ｙのノズルの個数やノズル間隔は装置の仕様に応じて適宜設定することができる。なお、上記実施形態においては４色のインクに対応する記録ヘッド２２Ｋ〜２２Ｙを備えたカラープリンタを例に挙げて説明したが、本発明は、１つの記録ヘッド２２を備えたモノクロ用のインクジェットプリンタや、シリアル型のインクジェットプリンタにも全く同様に適用可能である。この場合、例えばコロ６３を記録ヘッド２２と用紙Ｐの搬送方向に同じ位置に一対、外側に傾けて配置する等、適宜設定することができる。
【産業上の利用可能性】
【００５４】
本発明は、記録媒体を搬送する搬送ベルトと、該搬送ベルトにより搬送された記録媒体上にインクを吐出する記録ヘッドと、を備えたインクジェト記録装置において、前記搬送ベルトの記録媒体搬送面に対し記録媒体を吸着させる吸着手段と、前記搬送ベルトの幅方向両端部の上方に回転自在に軸支され、外周面が前記記録媒体搬送面の記録媒体吸着領域よりも外側に当接する複数のローラ部材と、が設けられたものである。
【００５５】
これにより、ローラ部材が記録媒体に吐出されたインクと接触することなく、記録ヘッドのインク吐出面に対して記録媒体が接近することを防止することができるため、インクの着弾状態を安定させ、画質の低下を防止することができる。また、記録媒体若しくは搬送ベルトが記録ヘッドに当接し、記録ヘッドを損傷することを防止することができる。
【００５６】
また、ローラ部材を、記録媒体の搬送方向において前記記録ヘッドと略同じ位置に配設することにより、記録ヘッドのインク吐出面と対向する位置における搬送ベルト及び記録媒体の撓みを防止することができるため、効率的且つ確実に搬送ベルトの撓みを防止することができ、効果的である。
【００５７】
また、ローラ部材のうち、少なくとも搬送方向最上流側のローラ部材を、上記搬送方向に対し所定角度外側に傾けることによって、搬送ベルトに幅方向外側に向かう力を作用させることができ、より効果的に撓みを防止することができる。
【図面の簡単な説明】
【００５８】
【図１】は、インクジェット記録装置の一例であるインクジェット式プリンタの概略構造を示す模型的垂直断面正面図である。
【図２】は、プリンタの記録部及び搬送ユニット周辺を示す部分拡大正面図である。
【図３】は、図２において搬送ユニットを下降させ記録部の下方にキャップを移動した状態を示す図である。
【図４】は、記録部、搬送ベルト及びローラ部材の周辺を示す部分拡大上面図である。
【図５】は、記録部、搬送ベルト及びローラ部材の周辺を示す部分拡大正面図である。
【図６】は、図５において搬送ベルトの記録媒体搬送面と記録ヘッドのインク吐出面との関係を示す部分拡大正面図である。
【図７】は、搬送ベルトに対する回動部材の配置状態を示す部分拡大上面図である。
【符号の説明】
【００５９】
１      プリンタ（インクジェット記録装置）
２      本体
２０    記録部
２２    記録ヘッド
３０    搬送ユニット
３１    搬送ベルト
３１ａ  用紙搬送面（記録媒体搬送面）
３５    空気吸引ユニット（吸着手段）
６１    支持部材
６３ａ〜６３ｄ    コロ（ローラ部材）
Ｐ      用紙
【図１】
0005039531.tif 000002
【図２】
0005039531.tif 000003
【図３】
0005039531.tif 000004
【図４】
0005039531.tif 000005
【図５】
0005039531.tif 000006
【図６】
0005039531.tif 000007
【図７】
0005039531.tif 000008